(57)【特許請求の範囲】
【請求項１】
噴射空気によって枚葉紙材料を、当該枚葉紙材料と接触することなく、搬送用の胴またはシリンダーの外套面上に平滑に載せる、印刷機内を移動する枚葉紙材料の案内装置において、
前記案内装置（１）は、該案内装置が付属している外套面（６）に形状が適合した複数の案内板（７）を有し、
該複数の案内板（７）は、前記胴またはシリンダーの軸線方向に沿って互いに隣接して配置されており、
前記各案内板（７）は噴射空気室（８）とそれぞれ接続されており、
前記各案内板（７）は、移動する前記枚葉紙材料（３）の移動方向に対して反対方向に空気流を発生する噴射空気孔（９）を有し、
前記各案内板（７）の前記噴射空気孔（９）は、当該案内板（７）の、前記移動方向を横断する方向に見て周縁区域（１３）において、前記移動方向と反対方向に、かつ、噴射空気が側方に逃げるのを防止するために内側に向けられている、
ことを特徴とする、印刷機内を移動する枚葉紙材料の案内装置。
【請求項２】
前記噴射空気孔（９）は、前記各案内板（７）に傾斜して配置されており、前記枚葉紙材料（３）が前記外套面（６）から浮上するのを防止するために、前記枚葉紙材料（３）の前記移動方向と反対に向けられている、請求項１に記載の案内装置。
【請求項３】
前記各案内板（７）のすべての前記噴射空気孔（９）は、前記移動方向と反対方向に、かつ内側に向けられている、請求項１または２に記載の案内装置。
【請求項４】
前記案内板（７）は、前記胴またはシリンダー（２）の長さ方向に見て移動可能に支持されている、請求項１から３のいずれか１項に記載の案内装置。
【発明の詳細な説明】
【０００１】
【産業上の利用分野】
本発明は、枚葉紙材料と接触することなく、噴射空気によって枚葉紙材料を搬送用の胴またはシリンダーの外套面に平滑な状態で載せる、印刷機内を移動する枚葉紙材料の案内装置に関する。
【０００２】
【従来の技術】
この技術の公知の実施（ドイツ特許明細書第３０４４６４９Ｃ２号）について、枚葉紙を圧胴または渡し胴上に展延するための、送風箱を有する平滑装置が記載されている。この平滑装置は、回転している圧胴または渡し胴の外套面の上に枚葉紙を噴射空気を用いて載せる。その際に、噴射装置は印刷機の全幅にわたって延びていて、圧胴もしくは渡し胴の外套面に対し所定の距離に配置されている。これによって達成される展延効果は限られた作用しか示さず、枚葉紙の端部が噴射箱の区域から出ると直ちに効果がなくなる。
【０００３】
別の公知の実施（ドイツ特許明細書第３９２０７３０Ｃ２号）によれば、枚葉紙の平滑な展延を達成するために、空気流を枚葉紙材料に向け、それによって展延効果を実現する噴射ノズルが用いられている。この場合も、枚葉紙材料の緩み、したがって不均一に載ることを排除することは、特に薄い枚葉紙材料において、確実には達成出来なかった。
【０００４】
【発明が解決しようとする課題】
本発明の目的は、この公知技術に基づき、圧胴上などで枚葉紙材料の平滑な案内と枚葉紙材料の緊張（緩まないこと）とを達成することである。
【０００５】
【課題を解決するための手段】
前記の目的を達成するために、本発明の案内装置は、案内装置が、該案内装置が付属している外套面に形状が適合した複数の案内板を有し、これらの案内板が噴射空気室とそれぞれ接続されており、各案内板は、移動する枚葉紙材料の移動方向とは反対方向に空気流を発生する噴射空気孔を有している。本発明による案内装置によって、搬送される枚葉紙を次の胴の入口隙間の直前まで正確に案内することが可能であるので、厚い枚葉紙材料においても浮上したり、折れ曲がりを生じたりすることが確実に防止される。さらに、枚葉紙材料と案内装置との接触、もしくは次の胴との、予定より早期の接触が防止されるので、たとえば枚葉紙材料上の印刷画像の損傷が避けられる。さらに、枚葉紙材料を平滑に載せることによって、搬送されている枚葉紙材料上で印刷品質の測定を行うことが可能である。
【０００６】
本発明の好適な実施態様は、前記噴射空気孔が案内板に傾斜して設けられていて、枚葉紙材料が外套面から浮上するのを防止するために、該噴射空気孔が枚葉紙材料の移動方向に対して反対に向けられていることを特徴とする。このように構成することによって、搬送される枚葉紙材料の運動と速度によって引きずられて運ばれる枚葉紙表面上の境界層を破壊することが可能であり、併せて、枚葉紙材料が、発生する吸引作用によって浮き上がるのを防止することが可能である。ここで問題にしている境界層とは、印刷インキ中の溶媒の蒸発によって生じる、被印刷枚葉紙材料上の層流の境界層である。この境界層は、枚葉紙材料と共に移動し、剥離することが非常に困難である。そのため、印刷インキの乾燥が阻害される。本発明の噴射空気孔によって、この境界層が破られる。
【０００７】
本発明の他の実施態様は、各案内板の噴射空気孔が、枚葉紙の移動方向を横断する方向に見て当該案内板の周縁区域において、移動方向と反対方向に、かつ噴射空気が側方に逃げるのを防ぐために内側に向けられている。さらに、各案内板のすべての噴射空気孔が、移動方向と反対方向に、かつ内側に向けられていても好都合である。
【０００８】
噴射空気の消費を経済的にするために、前記案内装置が、胴またはシリンダーの長さ方向に見て外套面の一部のみを覆っていることが好都合である。
【０００９】
【実施例】
以下に、本発明の好適な実施例を図面に基づいて詳細に説明する。図１に示す案内装置１を、印刷機中の圧胴２に付属させることができる。圧胴２は、搬送される枚葉紙材料３を渡し胴４から受け取り、ゴム胴５に送る。その際に、搬送される枚葉紙材料３は圧胴２の外套面６上に載る。
【００１０】
案内装置１は、圧胴２の外套面６に適合した（形がぴったり一致した）案内板７を有する。案内板７は、噴射空気孔９を備えた噴射空気室８と接続されており、さらに、噴射空気孔９は枚葉紙材料３の移動方向とは反対方向に空気流を作る。また、噴射空気室８は、噴射空気を供給するパイプ１０に固定されている。パイプ１０は保持具１１に支持されており、さらに、保持具１１は側部機枠に固定されている。噴射空気室８、したがって案内板７は、保持具１１を介して、圧胴２に向かい合うように位置調整し、また必要な場合には側方にも移動させることができる。これは、圧胴２の全幅にわたって延びている主軸１２を介して行うことができる。
【００１１】
図２から図４に示されているように、枚葉紙材料３が外套面６から浮上するのを防ぐために、案内板７の噴射空気孔９が枚葉紙材料３の移動方向と逆向きに斜めに向けられている。さらに、案内板７の噴射空気孔９が、移動方向に対して横方向（移動方向を横断する方向）の、案内板７の周縁区域１３において移動方向と反対に、かつ噴射空気が側方に逃げるのを防ぐために内側に向けられていることが好適である。枚葉紙の端部が、たとえば渡し胴４から少しでも搬送されると、印刷画像を損なうことなく案内板７の下に案内される。入口区域１４にも、噴射空気孔９を設けることができる。
【００１２】
本発明の好適な構成において、案内装置１は、渡し胴または圧胴２の長さ方向に見て外套面６の一部を覆っていることが好都合である。そのために、案内装置は、渡し胴または圧胴２の長さ方向に移動可能に支持されており、この際、複数の案内装置を主軸１２に固定することができる。
【００１３】
曲線１５は、案内板７の下の圧力分布を示している。曲線１６は案内板７と枚葉紙材料３との間に吹き込まれた空気の速度分布の断面図を示している。さらに、枚葉紙材料３の表面上の、移動している境界層の流速分布の断面図１７が示されている。
【図面の簡単な説明】
【図１】  図１は、案内装置の側面図である。
【図２】  図２は、図１の矢印ＩＩの方向に見た平面図である。
【図３】  図３は、案内装置の部分縦断面図である。
【図４】  図４は、案内装置の横断面図である。
【符号の説明】
１    案内装置
２    圧胴
３    枚葉紙材料
４    渡し胴
５    ゴム胴
６    外套面
７    案内板
８    噴射空気室
９    噴射空気孔
１０    パイプ
１１    保持具
１２    主軸
１３    周縁区域
１５    案内板の下の圧力分布を示す曲線
１６    吹き込まれた空気の速度分布断面図
１７    移動する境界層の流速分布断面図
【図１】
0003776943.tif 000002
【図２】
0003776943.tif 000003
【図３】
0003776943.tif 000004
【図４】
0003776943.tif 000005